(57)【要約】【課題】現在のカーマルチメディアコンピュータは、コンピュータ画面なしにカーマルチメディアコンピュータを操作することは不可能であり、元来の多重機能が失われてしまう。【解決手段】動作モードを受信し、動作モードは複数のユーザ入力インターフェースからユーザ入力インターフェースを選択的に選択する。次に、動作モードの選択に応じて、ユーザ入力インターフェースの作動信号を対応する第１の制御信号として定義する。そして、作動信号の定義を変更する入力を決定し、もしユーザ入力インターフェースの入力信号が作動信号の定義の変更なら、作動信号の定義の変更に応じて、ユーザ入力インターフェースの作動信号によって定義された制御信号は作動信号を対応する第２の制御信号に定義する。最後に、選択された動作モード及び設定された作動信号の定義に従ってカーコンピュータを作動する。【選択図】図１
2008137627.tif 000002
【特許請求の範囲】
【請求項１】
カーコンピュータを制御するための方法であって、
動作モードを受信するステップであり、該動作モードは複数のユーザ入力インターフェースから、ユーザ入力インターフェースを選択的に選択されるステップと、
前記動作モードの選択に応じて、ユーザ入力インターフェースの作動信号を、対応する第１の制御信号として定義するステップと、
作動信号の定義を変更する入力を決定するステップであり、ユーザ入力インターフェースの入力信号が作動信号の定義の変更である場合に、作動信号の定義の変更に応じて、ユーザ入力インターフェースの作動信号によって定義された前記第１の制御信号から作動信号に対応する第２の制御信号に定義するステップと、
選択された動作モード及び設定された作動信号の定義に従ってカーコンピュータを作動させるステップと、を備える制御方法。
【請求項２】
動作モードはコンピュータモード及びマルチメディアモードを含む、請求項１に記載の制御方法。
【請求項３】
マルチメディアモードは複数のマルチメディア動作モードを有する、請求項１に記載の制御方法。
【請求項４】
マルチメディア動作モードは、視聴覚再生動作モード、音楽再生動作モード、又はラジオ動作モードを含む、請求項１に記載の制御方法。
【請求項５】
カーコンピュータを制御する装置であって、
接続ポートと、
動作モードを選択的に選択するための、動作モード選択キーと、
選択された動作モードに応じて、第１の動作キーとして定義されるための、複数の動作キーと、
選択された動作モードに応じて複数の動作キーの定義を第２の動作キーの定義に選択的に設定及び変更するための、機能スイッチキーと、
動作モード選択キー、機能スイッチキー、及び複数の動作キーの作動信号を受信して、接続ポートを介してその作動信号に対応する電子信号をカーコンピュータに送信するために、動作キーに対応する定義の複数のグループを記憶するための、マイクロコントローラ、を備える制御装置。
【請求項６】
更にディスプレイを備える、請求項５に記載の制御装置。
【請求項７】
更に動作モード表示灯を備える、請求項５に記載の制御装置。
【請求項８】
更に状態表示灯を備える、請求項５に記載の制御装置。
【請求項９】
動作モードはコンピュータモード及びマルチメディアモードを含む、請求項５に記載の制御装置。
【請求項１０】
接続ポートはユニバーサル・シリアル・バス（ＵＳＢ）接続ポートである、請求項５に記載の制御装置。
【請求項１１】
接続ポートは並列接続ポートである、請求項５に記載の制御装置。
【請求項１２】
接続ポートは直列接続ポートである、請求項５に記載の制御装置。
【請求項１３】
接続ポートに接続された、作動信号に対応する電子信号をカーコンピュータに無線で送信するための、無線信号伝送モジュールを更に備える、請求項５に記載の制御装置。
【発明の詳細な説明】
【技術分野】
【０００１】
本発明は制御方法及び装置に関し、より具体的には、カーコンピュータを制御するための方法及び装置に関する。
【背景技術】
【０００２】
現代生活において、自動車は純粋な輸送ツールからモバイルエンターテイメントの中心へと徐々に変化している。昔は、人々は自動車の性能、空間、操作性、及び快適性にもっと注目していたが、今日では、人々は自動車のインターネット及び通信機能に注目を切り替えている。現代人は益々多くの時間を自動車の中で過ごすようになっており、自動車での時間を十分に活用したいと思っている。
【０００３】
新たな科学技術の継続的な進展として、自動車音響装置は純粋なラジオ、テープ、及びＣＤからそれらを完備した液晶画面を有する視聴覚装置、ＶＣＤ、及びＤＶＤデバイスへと徐々に進化している。更にＧＰＳ衛星ナビゲーションシステムでさえも配置され、従って、運転手は素晴しい視聴覚エンターテイメントを楽しむことができ見知らぬ場所で迷うこともないだろう。加えて、ビジネスマンの場合には、自動車内で音声会議を催してもよく、ブリーフィング及びファイルをプリンタで印刷できるように、プリンタポートをプリンタへ外部に接続してもよく、多くの時間が省けるだろう。
【０００４】
従って、ラジオ、ＣＤ、ＶＣＤ、ＤＶＤ及びＭＰ３再生機能を含むだけでなく、無線ネットサーフィンを行ってそのデータの更新が間に合うように、同一の機械に、「ＧＳＭ又はＧＰＲＳ無線通信」及び「ＧＰＳ及び電子地図」も一体化された、一体型のカーマルチメディア再生システムが生産される。
【０００５】
更に、その一体型のカーマルチメディア再生システムは、ＣＦメモリカード、テレビアンテナ、カーリバーサルレーダー、及びテレビゲームにさえも外部的に接続するなどの拡張性を有し、運転手及び乗客のための多様な視聴覚情報アプリケーション及びサービスを提供することを意図している。そのようなカーマルチメディア再生システムはカーコンピュータと呼ばれ、運転時の利便性を向上するだけでなく、ドライビング品質も向上する。自動車は輸送ツールであるだけでなく、日常生活の一部である。
【０００６】
自動車の休憩性（ｒｅｓｔｉｎｇ）及び情報機能への現代人の益々高まる要求として、カーコンピュータの研究及び開発は新たな技術的開発方向となっている。
【発明の開示】
【発明が解決しようとする課題】
【０００７】
市販されている現在のカーマルチメディアコンピュータについては、入出力インターフェース及び関連する電源スイッチ表示灯のみがパネルに露出しており、その不利益は、基本的な電源表示灯及び入出力インターフェースとしてしか使用できず、コンピュータのショートカット機能を使用するには役に立たず、また利便性が欠如していることにあり、コンピュータ画面なしにカーマルチメディアコンピュータを操作することは不可能であり、元来の多重機能が失われてしまう。
【課題を解決するための手段】
【０００８】
これに鑑み、本発明はカーコンピュータを制御するための装置及び方法を提供する。
【０００９】
すなわち、本願の第１発明は、カーコンピュータを制御するための方法であって、動作モードを受信するステップであり、該動作モードは複数のユーザ入力インターフェースから、ユーザ入力インターフェースを選択的に選択されるステップと、前記動作モードの選択に応じて、ユーザ入力インターフェースの作動信号を、対応する第１の制御信号として定義するステップと、作動信号の定義を変更する入力を決定するステップであり、ユーザ入力インターフェースの入力信号が作動信号の定義の変更である場合に、作動信号の定義の変更に応じて、ユーザ入力インターフェースの作動信号によって定義された前記第１の制御信号から作動信号に対応する第２の制御信号に定義するステップと、選択された動作モード及び設定された作動信号の定義に従ってカーコンピュータを作動させるステップと、を備える制御方法であることを要旨としている。
【００１０】
本願の第２発明は、動作モードはコンピュータモード及びマルチメディアモードを含む、本願の第１発明に記載の制御方法であることを要旨としている。
【００１１】
本願の第３発明は、マルチメディアモードは複数のマルチメディア動作モードを有する、本願の第１発明に記載の制御方法であることを要旨としている。
【００１２】
本願の第４発明は、マルチメディア動作モードは、視聴覚再生動作モード、音楽再生動作モード、又はラジオ動作モードを含む、本願の第１発明に記載の制御方法であることを要旨としている。
【００１３】
本願の第５発明は、カーコンピュータを制御する装置であって、接続ポートと、動作モードを選択的に選択するための、動作モード選択キーと、選択された動作モードに応じて、第１の動作キーとして定義されるための、複数の動作キーと、選択された動作モードに応じて複数の動作キーの定義を第２の動作キーの定義に選択的に設定及び変更するための、機能スイッチキーと、動作モード選択キー、機能スイッチキー、及び複数の動作キーの作動信号を受信して、接続ポートを介してその作動信号に対応する電子信号をカーコンピュータに送信するために、動作キーに対応する定義の複数のグループを記憶するための、マイクロコントローラ、を備える制御装置であることを要旨としている。
【００１４】
本願の第６発明は、更にディスプレイを備える、本願の第５発明に記載の制御装置であることを要旨としている。
【００１５】
本願の第７発明は、更に動作モード表示灯を備える、本願の第５発明に記載の制御装置であることを要旨としている。
【００１６】
本願の第８発明は、更に状態表示灯を備える、本願の第５発明に記載の制御装置であることを要旨としている。
【００１７】
本願の第９発明は、動作モードはコンピュータモード及びマルチメディアモードを含む、本願の第５発明に記載の制御装置であることを要旨としている。
【００１８】
本願の第１０発明は、接続ポートはユニバーサル・シリアル・バス（ＵＳＢ）接続ポートである、本願の第５発明に記載の制御装置であることを要旨としている。
【００１９】
本願の第１１発明は、接続ポートは並列接続ポートである、本願の第５発明に記載の制御装置であることを要旨としている。
【００２０】
本願の第１２発明は、接続ポートは直列接続ポートである、本願の第５発明に記載の制御装置であることを要旨としている。
【００２１】
本願の第１３発明は、接続ポートに接続された、作動信号に対応する電子信号をカーコンピュータに無線で送信するための、無線信号伝送モジュールを更に備える、本願の第５発明に記載の制御装置であることを要旨としている。
【００２２】
本発明の実施形態に従えば、本発明の制御方法に関して、まず、動作モードを受信し、動作モードは複数のユーザ入力インターフェースからユーザ入力インターフェースを選択的に選択する。次に、動作モードの選択に応じて、ユーザ入力インターフェースの作動信号を対応する第１の制御信号として定義する。そして、作動信号の定義を変更する入力を決定し、もしユーザ入力インターフェースの入力信号が作動信号の定義の変更ならば、作動信号の定義の変更に応じて、ユーザ入力インターフェースの作動信号によって定義された制御信号は作動信号を対応する第２の制御信号に定義する。最後に、選択された動作モード及び設定された作動信号の定義に従ってカーコンピュータを作動する。
【００２３】
本発明の実施形態に従うと、本発明の制御装置は、接続ポートと、動作モードを選択的に選択するための動作モード選択キーと、選択された動作モードに応じて第１の動作キーとして定義されるための複数の動作キーと、複数の動作キーの定義を第２の動作キーの定義に選択的に設定及び変更するための機能スイッチキーと、マイクロコントローラと、を備える。マイクロコントローラは、動作モード選択キー、機能スイッチキー、及び複数の動作キーの作動信号を受信して、接続ポートを介してその作動信号に対応する電子信号をカーコンピュータに送信するために、動作キーに対応する定義の複数のグループを記憶する。
【発明の効果】
【００２４】
本発明に従うと、コンピュータマルチメディア再生機能はコンピュータ画面無しで操作され、リンクしたマルチメディアアプリケーションプログラムを起動し、カーマルチメディアコンピュータの操作が困難であるという問題が解決される。
【発明を実施するための最良の形態】
【００２５】
本発明の利用可能性の更なる範囲は以下に与えられる詳細な説明から明らかとなる。しかしながら、本発明の精神及び範囲内での様々な変更及び変形はこの詳細な説明から当業者に明らかになるので、詳細な説明及び具体例は、一方で本発明の好適な実施形態を示しながら、もっぱら例示のために与えられていることは理解されるべきである。
【００２６】
本発明は、もっぱら例示のために以下に与えられ、従って本発明を制限するものではない詳細な説明からより完全に明らかとなる。
【００２７】
本発明の詳細な特徴及び利益は以下に詳細に例示され、当業者が本発明の技術的内容を知り、且つ本発明を適宜に実施するには十分であり、当業者は、明細書の内容、特許請求の範囲、及び図面に従って本発明の目的及び利益を容易に理解するであろう。
【００２８】
図１を参照すると、図１はカーコンピュータを制御するための装置の概略図である。本発明の制御装置はカーコンピュータに適用でき、カーコンピュータのシステムアーキテクチャは共通デスクトップ又はカーコンピュータシステムアーキテクチャと同様である。本発明に適用可能なカーコンピュータは、マウスやキーボード等の作動デバイスを有さなくてもよく、外部に接続されたディスプレイを有さなくてもよい。周辺デバイスのための接続ポートは時宜を得ないニーズのためにメインボードに予め配置されるが、自動車の空間は限られているため、一般的には、周辺デバイスは選択された装置である。
【００２９】
図１に示す制御装置１００は動作モード選択キー１０１、機能スイッチキー１０２、及び複数の動作キー１１１乃至１１８を含む。更に、ノブ１１９が選択的に配置され、制御装置１００は動作パネル型実施形態である。加えて、コンピュータシステムの電源をオン及びオフするために電源キー１２０が更に配置される。制御装置１００は、制御装置の状態を表示するための内蔵式ディスプレイ１２１、動作モード表示灯（図示せず）、又はその他の状態表示灯（図示せず）を更に含んでもよい。従って、ユーザは、制御装置のディスプレイ、動作モード表示灯、又は状態表示灯から制御装置の現在の動作モード又は状態を直接知ることができるだろう。
【００３０】
本発明の実施形態では、制御装置１００は２つの動作モード、即ち、コンピュータモード及びマルチメディアモードを有する。コンピュータモード及びマルチメディアモードは動作モード選択キー１０１を使用することによって切り替えられてもよい。コンピュータモード及びマルチメディアモードの内一つはデフォルトモードとして選択される。システムが電源オンされると、システムは設定されたデフォルトモードになる。マルチメディアモードは、実際の要求に従って設定されてもよく、複数のマルチメディア動作モード、例えば、視聴覚再生動作モード、音楽再生動作モード、又はラジオ動作モードを有してもよい。加えて、制御装置の現在の動作モード又は状態は、この実施形態のディスプレイ１２１、又は動作モード表示灯（図示せず）、又は制御装置の状態を表示するためのその他の状態表示灯（図示せず）から知られる。
【００３１】
もし動作モード選択キー１０１がコンピュータモードを動作モードとして選択すれば、制御装置はカーコンピュータの動作を制御するために使用される。もし動作モード選択キー１０１がマルチメディアモードを動作モードとして選択すれば、それは制御装置が視聴覚再生機能を直接実行することを示す。
【００３２】
制御装置における動作キー１１１乃至１１８は２つ以上の作動定義を有し、動作キー１１１乃至１１８の作動定義の各グループは機能スイッチキーによって切り替えられる。ある実施形態では、もし動作モードがマルチメディアモードならば、機能スイッチキーは制御装置上の残りのキーの定義を定義するために使用される。ある実施形態では、動作モードが、視聴覚再生動作モードの時、動作キー１１１乃至１１８は機能スイッチキー１０２を介して視聴覚再生機能プレスキーとして定義される。その他の実施形態では、動作モードが、音楽再生動作モードの時、動作キー１１１乃至１１８は機能スイッチキー１０２を介して音楽再生機能プレスキーとして定義される。その他の実施形態では、動作モードが、ラジオ動作モードの時、動作キー１１１乃至１１８は機能スイッチキー１０２を介してラジオ機能プレスキーとして定義される。動作キー１１１乃至１１８はデモンストレーションのための例として用いられるが、本発明の装置の数を制限するためではない。
【００３３】
図１及び図２を参照すると、図１及び図２はカーコンピュータを制御するための装置のハードウェアアーキテクチャ図である。装置はマイクロコントローラ２１０及び接続ポート２２０によって形成される。制御装置は、通信を行うために、接続ポート２２０を使用してカーコンピュータに接続する。
【００３４】
マイクロコントローラ２１０は動作キーの定義を記憶し、動作モード選択キー１０１、機能スイッチキー１０２、及び複数の動作キー１１１乃至１１８の作動信号を受信するため、且つ接続ポート２２０を介して作動信号に対応する電子信号をカーコンピュータ２３０に送信するために使用される。接続ポート２２０はユニバーサル・シリアル・バス（ＵＳＢ）接続ポートを使用し、共通の直列接続ポート又は並列接続ポートを使用してもよい。
【００３５】
図１及び図３を参照すると、図１及び図２はカーコンピュータ２３０を制御するための装置のハードウェアアーキテクチャ図である。装置は、マイクロコントローラ２１０、接続ポート２２０、及び無線伝送モジュール２４０によって形成される。マイクロコントローラ２１０は、動作モード選択キー１０１、機能スイッチキー１０２、及び複数の動作キー１１１乃至１１８の作動信号を受信するため、且つ作動信号に対応する電子信号をカーコンピュータに送信するために使用される。無線信号伝送モジュールによって、制御装置がカーコンピュータを無線で制御することが可能となり、無線信号伝送のモジュールはＢｌｕｅｔｏｏｔｈ（登録商標）規格を使用してもよい。
【００３６】
カーコンピュータにおいて、エージェントプログラムが記憶されて、受信した電子信号に応じて対応する動作を行う。図１及び図４を参照すると、図１及び図４は本発明のカーコンピュータを制御するための方法のメインフローチャートである。
【００３７】
まず、ユーザが動作モード選択キーを通じて動作モードを選択的に選択し、エージェントプログラムは選択された動作モードを受信する（ステップ３１０）。上述したように、動作モードはコンピュータモード及びマルチメディアモードを含む。マルチメディアモードは実際の要求によって設計されてもよく、マルチメディアモードは複数のマルチメディアモード、例えば、視聴覚再生モード、音楽再生モード、又はラジオモードを含む。
【００３８】
次に、選択された動作モード、例えば、コンピュータモード又はマルチメディアモードに従って、ユーザは機能スイッチキーを通じて動作キーの定義を選択的に設定し、エージェントプログラムは選択された動作キーの定義を受信する（ステップ３２０）。
【００３９】
コンピュータモードの下では、動作キー１１１乃至１１８は、コンピュータの対応する動作、例えば、上方、下方、左方、及び右方に移動すること、又は特定のプログラム、例えば、ＭＳＮ又はエクスプローラを起動することを定義してもよい。コンピュータモードの下では、動作キー１１１乃至１１８は異なる動作として定義されてもよく、例えば、模範的な実施形態では、エージェントプログラムを介してマルチメディア再生ソフトウェアを呼び出すことに加えて、機能スイッチキー１０２が動作キー１１１乃至１１８を視聴覚再生動作モードとして定義する時、動作キー１１１乃至１１８はマルチメディア再生ソフトウェアを作動するためのプレスキーとして定義される。例えば、ＤＶＤプレーヤソフトウェアが呼び出されると、動作キー１１１乃至１１８は、前進、後進、及び早送り等の動作として設定される。
【００４０】
マルチメディアモードの下では、制御装置は視聴覚再生機能を直接実行してもよい。動作キー１１１乃至１１８は、視聴覚再生動作モード、音楽再生動作モード、又はラジオ動作モードとして定義される。
【００４１】
最後に、選択された動作モード及び設定されたプレスキー機能に従って、エージェントプログラムがカーコンピュータを作動する（ステップ３３０）。
【００４２】
本発明は上述したように、様々に変化してもよいことは明らかであり、そのような変化は本発明の精神及び範囲からの逸脱と見なされるべきでなく、当業者に明らかであるような全ての変形は特許請求の範囲内に含まれるものである。
【図面の簡単な説明】
【００４３】
【図１】本発明に従うカーコンピュータを制御するための装置の概略図である。
【図２】本発明に従うカーコンピュータを制御するための装置のハードウェアアーキテクチャ図である。
【図３】本発明に従うカーコンピュータを制御するための装置の他のハードウェアアーキテクチャ図である。
【図４】本発明に従うカーコンピュータを制御するための方法のフローチャートである。
【図１】
2008137627.tif 000003
【図２】
2008137627.tif 000004
【図３】
2008137627.tif 000005
【図４】
2008137627.tif 000006